(57)【要約】      （修正有）【課題】入力装置を目覚ます目的、及び省エネモートに切り替る目的を達成することができ、必要でない待ち、及び電力消耗を減少することができる情報設備用入力装置を提供する。【解決手段】指令をある情報設備に伝送するように指令伝送システムが指令入力鍵に電気的に接続しており、導体が該指令入力鍵の内側に設けられ、電源制御ユニットに電気的に接続しており、指令入力鍵が使用者に触られたか否かを感応し、電源制御ユニットが電源と指令伝送システムの通路を制御し、該導体のキャパシタンスの変化を読み取るように電源と指令伝送システムに接続している。使用者が指令入力鍵に触ると導体のキャパシタンスが変化し、電源制御ユニットが各ユニットに電力を提供して各ユニットを目覚まし、使用者が指令入力鍵に触っていない場合、電源制御ユニットが電力の供給を遮断して休止状態に進むか、又はプリセット時間を経た後、電力を遮断する。【選択図】図１
0003172018.tif 000002
【実用新案登録請求の範囲】
【請求項１】
信号を少なくとも一つの情報設備に伝送する情報設備用入力装置であって、
ハウジングと、
該ハウジングに設けられた指令入力鍵と、
該指令入力鍵に電気的に接続しており、信号を該情報設備に伝送するための指令伝送システムと、
該指令入力鍵の内側に設けられた導体と、
電源と該指令伝送システムのループを制御するように、該電源及び該指令伝送システムに電気的に接続しており、且つ、該導体のキャパシタンスの変化を読み取るように、該導体に電気的に接続している電源制御ユニットと、
を備えたことを特徴とする情報設備用入力装置。
【請求項２】
前記導体はさらに該ハウジングの内側に延伸して設置されており、該ハウジング又は該指令入力鍵が触られると、該導体におけるキャパシタンスが変化し、該電源制御ユニットが該電源の投入を開放させ、該ハウジング又は該指令入力鍵が触られていない場合、該導体におけるキャパシタンスが元の範囲に戻り、該電源制御ユニットが電源の投入の開放を中止するか、あるいは対応する設定を実行し、該導体は金属材のシート状体であり、且つ、該金属材は銅材であり、該指令伝送システムはさらに無線伝送装置を有しており、該無線伝送装置はブルートゥース装置であることを特徴とする請求項１に記載の情報設備用入力装置。
【考案の詳細な説明】
【技術分野】
【０００１】
本考案は、情報設備に用いられる入力装置に関する。特に、電源を即時に起動する又は中断する入力装置。
【背景技術】
【０００２】
科技の進歩に従って、情報装置の普及率も大幅に向上しているので、入力装置も多様化しており、マウス、キーボード、手書ボード又はプレゼンテーションリモコンなどが、いずれも使用者と情報設備とのコミュニケーションをするインターフェースとされるものである。
【０００３】
なお、機能性を強化するように、これらの入力装置にも多種の装置を同時に結合することができる。しかしながら、ユニットの増加にしたがって電力の消費が高くなり、使用者が電源のスイッチを直ちに中断しなければ、電エネルギーの浪費となり、電池を電源として使用すれば、電池の電力の大部分は待ち状態で消耗してしまう。
【０００４】
現在、入力装置において電源を即時に起動する方法は数種類があり、そのうちの多くは振動センサー又は鍵により電源を目覚まして起動することである。使用者が該入力装置を移動する場合、あるいは鍵を押す時、そのセンサーが信号を発送して入力装置を目覚まし、そして、使用を終了した後、該入力装置が一時間の静止をしてから休止状態に進む。鍵または振動センサーにより入力装置を目覚ますことは、電気的装置のデザインにおいて電力消耗であり人間性的な直覚に合わない。
【考案の概要】
【考案が解決しようとする課題】
【０００５】
本考案は、上記事情に鑑みてなされたものであり、電源を即時に開閉する情報設備用入力装置を提供することを課題とする。使用者が本考案の入力装置に触ると情報設備用入力装置を起動して使用者の操作使用を提供する。一方、使用者が本考案の入力装置に触っていない場合、待ち状態に直接に進むか、又はそれに関わるプリセット動作を実行する。本考案の入力装置は振動の検出又は鍵の押しを目覚まし条件とすることはないので、使用者が自然に直覚的に触る方式により、入力装置を直接に目覚ます目的、及び省エネモートを切り替る目的を達成することができ、必要でない待ち、及び電力消耗を減少することができる。
【０００６】
本考案の情報設備用入力装置は、信号を少なくとも一つの情報設備に伝送することに用いられるものであり、ハウジングと、指令入力鍵と、指令伝送システムと、導体と、電源制御ユニットとを備えている。該指令入力鍵は該ハウジングに設けられており、指令をある情報設備に伝送するように該指令伝送システムが該指令入力鍵に電気的に接続しており、該導体は該指令入力鍵の内側に設けられており、該電源と該電源制御ユニットの通路を制御し、該導体に電気的に接続して該導体のキャパシタンスの変化を読み取るように、該電源制御ユニットが電源及び該指令伝送システムに電気的に接続している。
【０００７】
本考案の主な目的は使用状態を即時に識別することにあり、使用者が本考案の指令入力鍵に触ると該導体のキャパシタンスを変化させることにより、該電源制御ユニットへ電力提供の必要があることを識別させ、各ユニットを目覚まして操作指令の入力を実行する。これに対し、使用者が本考案の指令入力鍵に触っていない場合、電源制御ユニットが電力の供給を遮断して休止状態に進むか、又はプリセット時間を経た後、電力を遮断する。これにより、電力損失を低減する目的を達成することができる。
【０００８】
また、本考案のもう一つの目的は、該導体を該ハウジングの内側に延伸して設置する。これにより、感応面積を増加することができる。
【０００９】
なお、本考案のさらにもう一つの目的は、該導体は金属材のシート状体である。これにより、取付け及び生産をすることが向上する。
【図面の簡単な説明】
【００１０】
【図１】本考案の実施例の斜視概要図である。
【図２】本考案の実施例の分解概要図である。
【図３】本考案の実施例の内部概要図である。
【図４】本考案の実施例のハウジングの内部概要図である。
【考案を実施するための形態】
【００１１】
図１の本考案の実施例の斜視概要図、図２の本考案の実施例の分解概要図、図３の本考案の実施例の内部概要図、及び図４の本考案の実施例のハウジングの内部概要図を参照しながら本考案を詳しく説明する。
【００１２】
本考案の情報設備用入力装置は、信号を少なくとも一つの情報設備に伝送することに用いられるものであり、ハウジング１０と、指令入力鍵２０と、指令伝送システム３０と、導体４０と、電源５０とを備えている。
【００１３】
該指令入力鍵２０は該ハウジング１０に設けられており、指令入力鍵２０から生成した指令信号をある情報設備(図示をしていない)に伝送するように、該指令伝送システム３０が該指令入力鍵２０に電気的に接続している。そのうちに、上記該指令入力鍵２０はマウスの左右鍵、キーボードの鍵またはプレゼンテーションリモコンであってもいい。
【００１４】
該導体４０は該指令入力鍵２０の内側に設けられた。該電源５０と該指令伝送システム３０のループを制御するように、該電源制御ユニット(図示をしていない)が電源５０及び該指令伝送システム３０に電気的に接続しており、該導体４０のキャパシタンスの変化を読み取るように、該電源制御ユニットも該導体４０に電気的に接続している。
【００１５】
使用者が本考案の入力装置に触ると該導体４０のキャパシタンスを変化させ、この時、該電源制御ユニットが電源５０と該指令伝送システム３０のループをオン(ＯＮ)させ、該指令伝送システム３０に電力を持たせて作業を開始させ、指令入力鍵２０又は搭載された他のユニットの信号を受信することができる。また、該電源制御ユニットが情報設備用入力装置に搭載された他のユニットに電気的に接続しており、使用者が該指令入力鍵２０に触ると当該ユニットに電力供給を開放し、目覚ます目的を達成する。一方、使用者が該指令入力鍵２０に触っていない場合、該導体４０におけるキャパシタンスがプリセット範囲に戻り、この時、該指令伝送システム３０と他のユニットへの電力供給を中止し、全体の電力消耗を最低状態にして休止状態に進む。また、該導体４０におけるキャパシタンスがプリセット範囲に戻った後、対応するステップを実行し、例えば、キャパシタンスがプリセット範囲でプリセット時間を維持した後、休止状態に進むように設定する。これにより、本実施例の電力開閉を即時に制御し、最高の省エネモードを達成することができる。特に、即時オン／オフのモードを設定することにより、待ち状態による電力損失を避けることができる。
【００１６】
なお、該導体４０を該ハウジング１０の内側に延伸して設置することにより、感応面積を増加して使用者の操作は便利である。さらに、該導体４０は金属材のシート状体であり、例えば銅材などがあり、これにより、取付けと生産の便利性が向上する。
【００１７】
なお、該指令伝送システム３０は、さらに無線伝送装置であって例えばブルートゥース装置を有しており、これにより、指令信号を伝送することができる。
【００１８】
上記のとおり、本考案の実施例では、使用者が指令入力鍵２０又はフジング１０に触ると、電力を各ユニットに供給させ、そして、触ることを停止した後、各ユニットへの電力供給を即時に中断させるか、又は他のステップを実行させることにより、省エネの目的を達成することができる。
【符号の説明】
【００１９】
１０  ハウジング
２０  指令入力鍵
３０  指令伝送システム
４０  導体
５０  電源
【図１】
0003172018.tif 000003
【図２】
0003172018.tif 000004
【図３】
0003172018.tif 000005
【図４】
0003172018.tif 000006